(57)【特許請求の範囲】
【請求項１】
断熱容器の内部に飲料容器を収納するとともに、その断熱容器に蓋を被せ、上記飲料容器の口部に嵌着される栓体を経て該容器内部を加圧する加圧系統と、加圧された内部の飲料を上記栓体を経て外部に注出する注出系統とを設け、上記注出系統の出口にコックを設けてなる飲料注出装置において、上記コックを上記蓋にその前方に突き出して取付け、上記の断熱容器を基台に載置し、該基台に加圧源を設け、上記の基台、断熱容器、及び上記コックを取付けた蓋が分解組立可能であり、上記蓋後部の、少なくとも断熱容器又は断熱容器背後に設けたパイプのどちらか一方に対する嵌合部に摩擦部材を介在させ、上記パイプの下端部を上記基台にねじ込んで固定したことを特徴とする飲料注出装置。
【発明の詳細な説明】
【０００１】
【発明の属する技術分野】
この発明は、家庭用のビールディスペンサー等の飲料注出装置に関するものである。
【０００２】
【従来の技術】
家庭用のビールディスペンサー等の飲料注出装置においては、断熱容器内に飲料容器を収納すると共に、その断熱容器に蓋を被せ、上記の断熱容器の一部に取付けたコックに飲料注出装置を接続して、該コックから飲料を吐出させるようにしている。また、上記の断熱容器を基台上に載置する場合もある。
【０００３】
上記従来の飲料供給装置は、工場で包装したり、使用者が包装容器に収納したりする場合の便宜のために、基台、断熱容器及び蓋等の各部品は分解組立可能に構成される。
【０００４】
【発明が解決しようとする課題】
しかし、従来の場合は、比較的占有容積の大きい断熱容器にコックが突き出して取付けられていたため、包装等における取扱いが不便である問題があった。
【０００５】
そこで、この発明は、上記コックの取付け対象を変えることにより、包装等における取扱い性を向上することを課題とする。
【０００６】
【課題を解決するための手段】
上記の課題を解決するために、この発明は、断熱容器の内部に飲料容器を収納するとともに、その断熱容器に蓋を被せ、上記飲料容器の口部に嵌着される栓体を経て該容器内部を加圧する加圧系統と、加圧された内部の飲料を上記栓体を経て外部に注出する注出系統とを設け、上記注出系統の出口にコックを設けてなる飲料注出装置において、上記コックを上記蓋に取付けた構成を採用した。
【０００７】
上記の構成によると、比較的占有容積の小さい蓋にコックを取付けることにより、相対的に占有容積を高める一方、断熱容器の占有容積を相対的に小さくなり、包装等における取扱いが容易になる。
【０００８】
なお、上記の断熱容器を基台に載置し、該基台に加圧源を設けた構成や、上記の基台、断熱容器、及び上記コックを取付けた蓋が分解組立可能である構成を採用することができる。
【０００９】
また、上記蓋後部の少なくとも断熱容器又は断熱容器背後に設けたパイプのどちらか一方に対する嵌合部に、摩擦部材を介在させた構成を採用することができる。この構成によると、飲料を注出すべくコックを操作した場合に、蓋が前方（操作する者の手前側）へ傾くことを、摩擦部材の摩擦抵抗により防ぐことができる。
【００１０】
【発明の実施の形態】
以下、この発明の実施形態を添付図面に示したビールディスペンサーについて説明する。このビールディスペンサーは、図１に示すように、基台１と、その上に着脱自在に載置される断熱容器２、及び蓋３とからなる。蓋３にはコック４が取付けられる。基台１の内部には、図２（ａ）（ｂ）に示すように、加圧源としてのエアーポンプ５、圧力センサー６、三方弁７等が設けられる。エアーポンプ５から出た加圧エアーが三方弁７を経て圧力センサー６と加圧ホース８に供給され、圧力センサー６において圧力を検知し、エアーポンプ５を制御するようにしている。
【００１１】
加圧ホース８は基台１の後部から上方に引き出され、断熱容器２の背後において基台１と蓋３との間に設けられたパイプ９内を通って蓋３の内部に導かれる。
【００１２】
上記の基台１、断熱容器２、コック４を取付けた蓋３及びパイプ９は、図３に示すように、それぞれ分解・組立可能となっている。
【００１３】
なお、上記の断熱容器２は、真空二重容器、断熱材充填容器等で形成され、また、蓋３も断熱性を有する構成を採ることができる。断熱容器２内に氷を収納するようにしてもよい。
【００１４】
飲料注出器具１１は、図４に示すように、断熱容器２内に収納された飲料容器１２の口部１３に嵌着されるものであり、栓体１４と、前記の加圧ホース８及び飲料注出ホース１５とにより構成される。加圧ホース８は栓体１４のホース継手１６に接続され、該ホース継手１６に逆止弁１７が設けられる。この逆止弁１７は、加圧ホース８側からの加圧に対しては開放される一方、飲料容器１２側からの圧力に対しては閉塞されて内部圧力の逸脱を防止する。上記の加圧ホース８と逆止弁１７とにより加圧系統が構成される。
【００１５】
また、飲料注出ホース１５は注出上ホース１５ａと注出下ホース１５ｂとからなり、注出上ホース１５ａは、栓体１４にねじ嵌合した着脱式のホース継手１８に接続される。注出上ホース１５ａの他端は着脱式のホース継手２０を介してコック４に接続される。また、注出下ホース１５ｂは、上記のホース継手１８に連通した継手１９に接続される。上記の飲料注出ホース１５が注出系統を構成する。
【００１６】
実施形態の飲料供給装置は以上のようなものであり、エアーポンプ５を駆動して加圧ホース８を通じて飲料容器１２の内部を加圧し、コック４のハンドル２１を操作することにより、飲料注出ホース１５を通じてビール液を吐出口２２から吐出させる。
【００１７】
また、包装等においては、基台１、断熱容器２、コック４付きの蓋３、パイプ９及び上記の飲料注出器具１１に分解して包装容器に収納される。
【００１８】
以上述べた実施形態においては、蓋３を断熱容器２の上端（パイプ９の上端を含む）に嵌合しているだけであるので、コック４を操作した際に、蓋３が前方（操作する者の手）に傾くことがある。このような傾きを防止するために、図５から図７に示した他の実施形態においては、パイプ９の下端部９ａを基台１にねじ込んで固定するとともに、そのパイプ９の上端部外周に、摩擦部材としてのゴム片２３を嵌合して固着する。蓋３を断熱容器２に被せると、パイプ９の上端部が蓋３の後部の嵌合凹部２４に強く嵌入される。このため、蓋３は、パイプ９のゴム片２３と、嵌合凹部２４及び断熱容器２との間に生じる摩擦により外れ難くなり、コック４を操作した際に蓋３が前方へ傾くことが防止される。
【００１９】
上記のゴム片２３とともに、蓋３の後部内面に左右一対のゴム片２３’、２３’を固着することもできる。各ゴム片２３’は、蓋３を被せた際に、断熱容器２の内面との間で摩擦を生じ、コック４を操作した際に、前記パイプ９のゴム片２３の摩擦と合わせて、蓋３が前方へ傾くことを防止する。ゴム片２３又はゴム片２３’、２３’のいずれか一方だけで十分な摩擦が得られる場合は、いずれか一方を設けるだけでよい。
【００２０】
また、基台１の下面に基台カバー２５が嵌着され、その基台カバー２５の下面にゴム等でなる脚部材２６が取付けられるとともに、電池ボックスカバー２７が設けられる。また、電池ボックスカバー２７の前部に横断方向のリブ２８が設けられる。このリブ２８は、基台１上にこぼれたビール等の液体が基台カバー２５の下面を伝って電池ボックスカバー２７内に侵入することを防止し、基台１内部の電子部品等に接触する不都合を無くする。なお、基台１の側面に電源スイッチ２９が設けられる。
【００２１】
【発明の効果】
以上のように、この発明の飲料注出装置によれば、比較的占有容積の小さい蓋にコックを取付けることにより、相対的に占有容積を高める一方、断熱容器の占有容積を相対的に小さくすることにより、包装等における取扱いが容易になる効果が得られる。
【００２２】
また、断熱容器又はその背後に設けられるパイプのいずれか一方又は両方に、摩擦部材を介して蓋を被せることにより、コックを操作して飲料を注出する際の蓋の傾きを防止することができる。
【図面の簡単な説明】
【図１】実施形態のビールディスペンサーの斜視図
【図２】（ａ）同上の平面図
（ｂ）同上の側面図
【図３】同上の分解斜視図
【図４】同上の飲料注出装置の断面図
【図５】他の実施形態の一部省略分解斜視図
【図６】（ａ）同上の蓋部分の横断底面図
（ｂ）（ａ）図のｂ−ｂ線の拡大断面図
【図７】（ａ）同上の一部省略断面図
（ｂ）（ａ）図の底面図
【符号の説明】
１  基台
２  断熱容器
３  蓋
４  コック
５  エアーポンプ
６  圧力センサー
７  三方弁
８  加圧ホース
９  パイプ
９ａ  下端部
１１  飲料注出器具
１２  飲料容器
１３  口部
１４  栓体
１５  飲料注出ホース
１５ａ  注出上ホース
１５ｂ  注出下ホース
１６  ホース継手
１７  逆止弁
１８  ホース継手
１９  ホース継手
２１  レバー
２２  吐出口
２３  ゴム片
２３’  ゴム片
２４  嵌合凹部
２５  基台カバー
２６  脚部材
２７  電池ボックスカバー
２８  リブ
２９  電源スイッチ
【図１】
0003781976.tif 000002
【図２】
0003781976.tif 000003
【図３】
0003781976.tif 000004
【図４】
0003781976.tif 000005
【図５】
0003781976.tif 000006
【図６】
0003781976.tif 000007
【図７】
0003781976.tif 000008